(57)【特許請求の範囲】
【請求項１】
家電機器や情報機器等の機器との間で使用され、前記機器から送信された情報を書き込んだり、前記機器に記録された情報を読み出して記録媒体への書き込み処理が出来る情報伝達装置と、前記機器に接続される電源とこの機器との間に設けられた前記機器のスイッチ開閉手段を前記情報伝達装置から供給される電力を受けて動作させる前記情報伝達装置に設けられるトリガ機構と、前記機器のスイッチ開閉手段が前記トリガ機構により動作されてから、前記機器から前記情報伝達手段へ非接触にて電力を送信する前記機器からの電力送受信手段と、を備えたことを特徴とする情報伝達システム。
【請求項２】
前記情報伝達装置のトリガ機構は、充填手段を有したリモコンに設けられたスイッチであることを特徴とする請求項１記載の情報伝達システム。
【発明の詳細な説明】
【技術分野】
【０００１】
この発明は、家電機器や情報機器との間で情報をやり取りするものや、機器との関連で情報を記憶させて非接触にて利用する記録媒体のようなものや、このような記録媒体から情報を非接触にて書き込んだり読み出すリーダー／ライターのようなもの、を情報の伝達に使用する情報伝達システムに関係する。
【背景技術】
【０００２】
機種名や仕様などの情報を記録した無線タグを空気調和機や冷蔵庫などの家電機器に付したり情報機器に使用されるタグやＩＣカードなどから情報を取り出したり、タグやＩＣカードなどに無線で電力を供給し情報を追加して書き込んだりすることや、このタグやＩＣカードに別途電源を必要とするリーダー／ライター等の情報端末を用いて非接触で情報を書き込み／読み出すことは良く知られている。
【０００３】
情報伝達の様様な用途に使用されるものとして、パッシブ型無線ＩＣタグが知られているが、これは電源を内蔵していない。このタグ内にアンテナを内蔵させて外部からの電波を拾い、その誘起電力を利用してタグ内の使用電力とし、クロックを作り出したり、ＩＣを駆動しメモリに記憶されているデータを外部に送信したり、あるいはメモリ中のデータを書き直すなどを可能にしている。このような従来の装置は通信に使用する搬送波によりＩＣタグやＩＣカードに電源エネルギーを供給するもの（例えば、特許文献１参照）、リーダライタとカードとの間のデータ伝送の通信を２系統のマイクロ波で行うとともにカードの駆動電力をリーダライタから短波帯で供給し、駆動電力がライタからカードへ供給されている期間のみデータ伝送が行われるもの（例えば、特許文献２参照）、非接触媒体に電池と外部からの電力受信回路とを設け外部からの電力供給の有無を判断して切り替えるもの（例えば、特許文献３参照）等が知られている。
【０００４】
【特許文献１】特開２００１−２２９０５号公報（図１、第３頁）
【特許文献２】特開２００0−１１１０５号公報（図１、第５頁）
【特許文献３】特開平６−１２４３６８号公報（図２、第２頁）
【発明の開示】
【発明が解決しようとする課題】
【０００５】
解決しようとする課題として、情報伝達を行う従来のリーダー／ライターはリーダー／ライター自体に有線などによる電源供給が必要であり、リーダー／ライターは移動する事が出来ず、１つの機器に１つのリーダー／ライターが必要であり、携帯して読み込み／書き込みが出来ないと言う問題があった。一方可般式のリーダー／ライターでは電池を内蔵させて電力を供給する場合寿命などの問題や扱いにくいと言う問題があったり、光電池などを使用する場合は使う場所が制限されると言う問題があった。これらを解決するものとしてリーダライタに電波で電力を受けるアンテナを設け電源とするものが提案されているが、機器のサービスの際に使うものなどでも常時電力を使えるように送信しており、電力送受信のため無駄な電力を発生すると言う問題があった。
【０００６】
又エアコンや冷蔵庫、その他の家庭用機器の運転停止を制御するリモートコントロール装置などでは電池を電源として運転停止のスイッチ動作や温度の調整などの運転時様態の制御を行うことが出来るが、エアコン室内機などの機器本体に取り付けられ情報を記憶し情報伝達に使用されるタグやＩＣカード、あるいは室内機の電機品箱に収められ運転情報を記憶しているたＩＣカード等とは無関係の、異なる信号伝達方式や信号にて動作するもので、情報伝達に用いられるタグやＩＣカードに対しては別の情報伝達装置を使用する必要があるという問題があった。又リモコンやリモコンの代わりとなる携帯電話などの情報伝達装置では常に電池の交換や電池の充電を考えて使用しなければならないという手間がかかると言う問題があった。
【０００７】
この発明はＩＣカードやリーダライタ他のような機器の情報伝達に使用される装置が、近くの機器から通信に要する電力を受電できるものを得ることにある。又この発明は、無駄な電力搬送を防止できると言うシステム、方法を得ることにある。
【課題を解決するための手段】
【０００８】
本発明の情報伝達システムは、家電機器や情報機器等の機器との間で使用され、前記機器から送信された情報を書き込んだり、前記機器に記録された情報を読み出して記録媒体への書き込み処理が出来る情報伝達装置と、前記機器に接続される電源とこの機器との間に設けられた前記機器のスイッチ開閉手段を前記情報伝達装置から供給される電力を受けて動作させる前記情報伝達装置に設けられるトリガ機構と、前記機器のスイッチ開閉手段が前記トリガ機構により動作されてから、前記機器から前記情報伝達手段へ非接触にて電力を送信する前記機器からの電力送受信手段と、を備えたものである。
【発明の効果】
【００１０】
この発明は、いつでも機器から非接触にて電力を供給されのるで使い勝手の良い情報伝達システム、情報伝達方法が得られる。又この発明は、電力を送り出す側に送電スイッチを設け、電力を貰う側からこの送電スイッチを動作可能にして、無駄な電力を省くことが出来る取り扱いやすい情報伝達システム、情報伝達方法が得られる。
【発明を実施するための最良の形態】
【００１１】
実施の形態１．
図1はこの発明の実地の形態１に係る情報伝達装置であるリーダー／ライター及びこのリーダー／ライターと情報伝達を行う機器に設けられた記録媒体を含む概略構成図である。冷蔵庫や空気調和機等の機器９には、無線タグやＩＣカード等の記録媒体１６が機器本体の表面に貼り付けられるなど機器外部から機器情報を送受信可能に設けられている。更にリーダー／ライター１と機器側との間で機器電源から電波で電力を送受電し、リーダー／ライター１から機器に送電したり、電力を受電したリーダー／ライター１からこの電力を記録媒体１６へ電波にて伝送することが出来るようにしたり、あるいは、電力を再びリーダー／ライター１から機器側の送受信手段１０へ戻すなど電力を一方向性や双方向性の送受電を自由に行える様にしている。
【００１２】
機器９とリーダー／ライター１間で情報通信を送受信することが出来る様に、例えば機器９側にアンテナや通信制御を行う装置を有する送受信手段１０が設けられ、且つ、リーダー／ライター１側にも同様な構成が設けられている。なおリーダライタ１は無線タグやＩＣカード等の記録媒体１６との間、あるいは機器９との間で通信され、記録媒体１６に最初からあるいは追加される情報、即ち例えば機器９の履歴や運転データ、あるいはリサイクルに必要な有害材料の種類や除去方法、機器分解方法などの設計製作時の情報、を記憶されている情報を読み出したり、あるいは機器９の運転データなどを機器から受け取り記録媒体１６に新たに追加記入される情報を書き込んだりする機能を持っている。すなわち機器９、リーダー／ライター１、記録媒体１６間で自由に情報伝達が行える。
【００１３】
図１の構成における情報の送信受信の動作に関し次に図２にて説明する。図２は情報通信の動作を説明するフローチャートである。機器９に電源が投入されスタート（ＳＴ１）すると、リーダー／ライター１は電力送受信手段を介して機器９側から電力を供給される（ＳＴ２）。記録媒体１６は無線タグに設けたアンテナを介して電波で電力を受け取りこの電力をＩＣへ供給し（ＳＴ３）、起動する（ＳＴ４）。ＩＣはマイコンにて書き込みかどうかを判断し（ＳＴ５）、ＹＥＳであれば、リーダー／ライター１のアンテナを介した制御装置から情報通信が行われる（ＳＴ６）、記録媒体１６では送られてきた情報は回路ＩＣに記憶する（ＳＴ７）。一方、書き込みかどうかの判断で（ＳＴ５）ＮＯであれば記録媒体１６は情報を発信し（ＳＴ８）、リーダー／ライター１はアンテナを介した制御装置から情報受信が行われる（ＳＴ９）。以上最後（ＳＴ１０）まで送受信が行われリーダー／ライター１と記録媒体との間の情報伝達が電波により非接触での通信が可能になる。
【００１４】
次に電力の送電受電に関する説明を図３の回路構成図にて行う。機器９の電源ポート１９は電源２０に有線で接続され、スイッチ開閉手段１４が閉じて機器内部の負荷に接続されると、機器駆動装置１５や電力送受信装置１２へ電力が供給される。これにより例えばエアコン室内機の運転も可能になるとともに、リーダー／ライター１への電力供給が可能になり、リーダー／ライター１を使用して記録媒体１６との情報伝達も行うことが出来る。スイッチ開閉手段１４は外部からのリモコン装置などの電源オンオフ信号を受けて、あるいは機器９に設けられた手動のスイッチの信号により制御装置１１がスイッチ開閉手段１４のリレーを動作させて開閉させる。機器９にはアンテナなどの電力・情報送受信手段１０が設けられており、電力送受信装置１２からの電力や記憶装置１３に記憶され制御装置１１で判断された情報の送受信を行う。
【００１５】
機器９に設けられた電力・情報送受信手段１０は電波を送信したり受信したりするが、この電波をやり取りするものとして第１に機器９の表面に貼り付けられ、特定の情報を記憶させる役割を果たす記録媒体１６と、第２にこの記録媒体１６の本体に設けられたＩＣ１８に記録された情報を読み出したり、あるいは機器側から送信された情報に基づくなどにより記録媒体１６本体に設けられた記憶手段であるＩＣ１８の記録を書き直したり、あるいはこの読み出しと書き込みの両方を行えるリーダー／ライター１がある。この第１と第２の送電受電等電波のやり取りを行う対象物であって、且つ情報伝達装置である装置１，１６は、いずれもアンテナなどの電力・情報送受信手段１７，２を有している。情報伝達装置の一種であるリーダー／ライター１の本体内には情報を記憶する記憶装置５、この記憶された情報のやり取りを制御する制御装置３、電力の送電受電を制御する電力送受信装置４が設けられている。
【００１６】
なお図３のリーダー／ライター１には、外部電源と接続される電源ポート８及び電池などを含む充電手段７がスイッチ６を介してリーダー／ライター１の各装置などに電力を供給できる構造を示しているが、リーダー／ライター１に必要な全ての電力を機器９側から送電してもらうシステムを採用する場合は、これらの電源手段は不要である。したがってリーダー／ライター１は小型軽量に出来、電波で電力を受け取れるところではいつでもどこでも使用できる。しかしスイッチほかを設けておき、上手く受電できなかったり電力が不足するような場合などでは必要に応じ手動でスイッチを投入して充電された電池からの電力を併用しても良いことは当然である。
【００１７】
即ち機器９とリーダライタ１との間は機器の制御装置１１とリーダライタの本体制御装置３との間でそれぞれが有する電力・情報送受信手段１０、２を通して通信によりリーダライタ１は機器９の情報を取りに行き、機器の運転記録、例えば空気調和機９の設定温度状態と使用電力、冷凍サイクルの圧縮機起動停止回数と冷媒圧力状態などや、サービス点検モードにおける計測記録や書き込みデータなどのサービス時の記録を機器が停止したり運転中であってもスイッチ開閉手段１４を動作させて入手出来る。更にリーダライタの本体記憶装置５に一時的に記憶された運転記録などの情報はそのままリーダライタの本体制御装置３とタグのような記録媒体１６の記録媒体ＩＣ１８との間で通信が行われ、記録媒体の記憶手段１８へ書き込みが行われる。またこの双方の送受信手段の電力・情報送受信手段２、１０を介して記録媒体の記憶手段１８が記憶している製品仕様や設計データをリサイクル時にリーダライタで読取り、別のパソコンに入力して製品構造図を取り出し、この製品を破壊する時の方法を決定するのに使用するなども可能である。
【００１８】
このような機器９との情報のやり取り、記録媒体１６との情報のやり取りを行う作業に利用されるリーダライタである情報伝達装置１は、情報の通信のみならず、機器９の送受信部から電力・情報送受信手段２、１０を介して電波により電力供給をも受けるので、有線などによる電源供給や待機電力が不要である。即ちリーダー／ライター１は、機器９に貼り付け、機器９の様々な情報を書き込んだり読み出したりが可能な無線タグや機器に挿入されたり取り付けられるＩＣカード等の記録媒体１６へ無線を使用して非接触にて書き込みや読み出す機能等を持ち、当該機器、すなわちタグが取り付けてある機器だけでなく隣接しておかれ、外部の電源と接続され電力を無線にて送信可能な様々な機器の送受信部から電波により電力供給を受け、当該機器のタグとの間で有線他の直接的な電源供給を使用せずに通信により、電力を受け取り、情報のやり取りを行うことが出来る。
【００１９】
なお図３のように機器に取り付けられた記録媒体１６の電力・情報送受信手段１７や記憶装置であるＩＣ１８と機器９との間で直接電力とデータのやり取りも電波で可能である。上記のように、本発明は固有な電源や接続された電源を有しないリーダー／ライター１及びパッシブ型無線タグのような記録媒体１６に対し機器側から電波で電源を供給するだけで全ての情報伝達を可能にすることが出来、必要なときに必要な電力を使用すれば良いシステムを得ることが出来る。
【００２０】
図３は機器９に接続された電源２０から通信電波によりその電力をリーダライタ装置本体１へ送電して使用する構成であり、更に電源に常時接続された空調機室内機や冷蔵庫などの家電機器９は空調や冷凍を行うため冷凍サイクルを有し、この冷凍サイクルの圧縮機をモーターで駆動している。更に通風を行うファンもモータで駆動するなど各家庭に配線された商用電源からの交流を利用し駆動電力や制御電源に使用している。即ち電源２０から電源ポート１９を介して各機器駆動装置１５に供給されるとともに、演算処理装置など機器の制御電源としてや、電力送受信装置１２を介して制御装置１１、記憶装置１３も使用する。図３の様に電力・情報送受信手段１０、１７を介して記録媒体であるタグ１６の電源に使用しても良いことは当然である。更に加えて機器９には電力送受電装置１２が設けられ、この電力は電力・情報送受信手段１０から機器９の外へ電波で送信される。
【００２１】
図３に示す回路構成図では、電源２０から機器駆動装置１５には送電スイッチを開閉するスイッチ開閉手段１４にて常時は供給されない様に回路が切断されている。これによりリーダー／ライター１や記録媒体１６の情報伝達装置側には電源を設ける必要が無くなり、更にその上、機器側もスイッチ開閉手段が閉動作するまでは機器内の機器駆動装置１５には電力を供給しない、例えば機器駆動装置の待機電力のみならず電力送受信にかかわる待機電力の発生を防止することが出来る。電力を電波で送電しようとする場合、空調を使用しない時期や点検サービス等に必要な時期では、いつ電源を接続し待機させればよいかが不明であり、このため電波を出しつづけるなど待機電力を消費しつづけるという問題があったがこの発明によりこの問題を解消でき省エネルギーを達成できることになる。なお機器駆動装置として例えばエアコン室内機のサービス時やリサイクル時の冷媒処理などにかかわる機器駆動装置の運転を行えるようにしたが、冷房などの本来の通常運転時の動作にかかわる機器に対して待機させたい場合は別の回路を設けておけばよいことは当然である。
【００２２】
このスイッチ１４は機器９の運転停止を行えるリモコン装置に設けた電源オンオフスイッチ等により開閉できることを説明したが、例えば情報伝達装置１として機器の運転停止や温度調整、運転モードの切り替えなどを制御するリモコン機能と、上記で説明してきた記録媒体１６への情報の読み取り、書き込み機能を一体化、すなわちリモコン装置とリーダー／ライター１を纏めることも出来る。情報伝達装置１の記憶装置３には機器の運転停止や温度調整、運転モードの切り替えなどを制御するリモコン機能に必要なデータを記憶させ、且つ、制御装置３でこのリモコン機能を制御できるようにしておく。更に通常のリモコン装置と同様に電池により常時駆動できるものとする。この構成の場合、情報伝達装置１の電源スイッチをオンにして、情報伝達装置１に設けた電池の電力を利用して、電池に直結された電力送受信装置４、電力・情報送受信手段２を介して電波で電力を、更にスイッチ閉の状態で接続されている制御装置３を介して電波で制御情報を、情報伝達装置１側から機器側へ送信し、機器９内では電力送受信手段１０から制御装置を介してスイッチ開閉手段を動作させる。
【００２３】
すなわち、情報伝達装置１の電池容量は機器９に設けたスイッチ開閉手段１４を動作させる電力だけで良く、スイッチ開閉手段が閉状態となれば、後は機器９に接続された電源２０からの電力で機器９内の機器駆動装置１５や制御装置１１他に使用される電力、情報伝達装置本体１内の制御装置に使用される電力、記録媒体１６に必要な電力は今までの説明のとおり機器側から供給されることになる。当然ながら情報伝達装置の電池を併用しても良いし、電力の搬送が通信不良で途切れる場合などは自動的に電池に切り替わる。更に一般に使用され常時手元においてあるリモコンにより記録媒体１６内の情報の読み取りあるいは書き込みが可能になりサービスマンは特別なリーダー／ライター装置を持ち歩く必要もない。誰でも記録の読み取りが可能になるとともに、電力の送受電や記録媒体への書き込みを勝手にさせないと言う必要があればリモコンのモード切替などの機器運転用スイッチなどに特別な手順を行うことによりサービスマンなど特定の人がライター機能を行える様にソフトにて処置可能な手段を設ければよい。このように、機器９の待機電力は必要とせず、情報伝達装置１の電池も機器の動作のみならず電力送受信の待機電力も必要とせず、機器９に設けた電源と接続するスイッチ開閉手段を動作させる、すなわち全ての動作のトリガー分だけで済むので構造が簡単でエネルギー消費の少ない装置とすることが出来る。
【００２４】
図４の回路構成図にて、リーダ／ライタ装置である情報伝達装置１をトリガーとするスイッチ開閉の動作を説明する。図４は図１と同一の構成で、この送電スイッチであるスイッチ開閉手段１４は、上記説明のようにリーダライタ装置１からのトリガー送電により、例えばリモコン１の電源スイッチを入れて、リモコン１に設けられたスイッチ６を動作させ制御装置３からの指示により電力・情報送受信手段２、１０を介し機器制御装置に電力を供給する事によりスイッチが入り回路がつながり電力が機器各装置へと送られる。
【００２５】
この機器側の電源からの電力がスイッチ開閉手段１４を介し制御装置１１と更に電力送受信装置を介して電力送受信手段１６へ送られ、リモコン１へ電力が送電される。これにより情報伝達装置１はリモコンとしての機器の運転動作を非接触で機器に指令できるとともに、必要な記録媒体１６からの読み取りや書き込みを行える様に成る。これにより機器９でも、情報伝達装置１でも、記録媒体１６でもトリガーがかかるまでは一切の待機電力を必要としない。したがって必要な時期、例えば機器の修理を行うサービスマンが操作するまでや機器を廃却する際にリサイクル工場で電源が入れられても動作を開始するまでは待機電力を必要としないし、通常使用途中でもリモコンの電源が入るまでは待機しなくとも済むことになる。
【００２６】
このトリガーである情報伝達装置に設けられたスイッチ６の代わりに、スイッチ開閉手段１４を動作させる機構を情報伝達装置１に設けても良い。例えば情報伝達装置１の中に永久磁石を設けておいて、機器９の送電スイッチ用のリレーと接続されるコイルが機器９の表面部など特定の位置に配置されており、このコイルの近くにリーダライタ装置１を持ってくると磁石から発せられる磁力が機器側のコイルに非接触にて作用して誘起電圧を発生させる。このコイルに接続されたリレーなどが電圧を受けてセットして送電スイッチ１４をオン動作させ回路を接続する。このリレーセットのトリガーは磁石と誘導コイルの組合せで無くとも、例えばリーダライタ装置１を機器９に接触させる機構、即ちリーダライタ装置に設けた電池やコンデンサの様に電位や容量を直接機器に設けたトリガー端子に接触させて電位の変化や容量の変化をトリガーとしてリレー機構を動作させたり、情報伝達装置１に設けられた突起物を機器９の凹部に差し込んで機械的なトリガーを解除させるなどでも良い。即ちリーダライタ装置１を、電力を受け取る機器９の近くに持って来るか、接触させて送電スイッチであるスイッチ開閉手段１４を動作させた時に電力搬送を可能にすることで、待機電力のような無駄な電力は不用になるし、リーダライタ装置にも電線を接続したり、取替えが必要な特別な電源を設けなくとも良い。
【００２７】
リーダー／ライター１は機器９から送信された電力を電力・情報送受信手段２にて受け取り送受電装置４に設けてある充電手段などに本体１の電力として貯え、記憶装置５の電源として直接使用したり、あるいは本体制御装置３の情報通信のために短時間使用する。なお、長期間記憶に残すため小さな電力を連続して必要な場合や、送受信部４により電力を供給出来ない場合、電力が足りない場合等のために、他から電源供給可能なポート８や充電可能なバッテリー７を具備する構成でも良い。この場合ポート８と送受電装置４からの両方からの電力を切換えて貯えたり、あるいは別々の蓄電手段を設けたりすることはどちらでも良い。
【００２８】
なおこの発明は、図１で示す構成の様にタグが貼りつけてある機器９からのみ電力を貰うという必要は無く、電力送信が可能な様々な機器から電波により電力供給出来るように情報伝達装置にはトリガ機構と送受電可能な構成とし、機器側にもリレー機構と送受電可能な構成としてあれば良く、このようなどこにでもある機器に、記録媒体と情報交換が行える本体を近づけたり接触させて送電スイッチを開閉できるようにするので、どこでも電力を入手でき、且つ、無駄な電力を省くことが出来る取り扱いやすい情報伝達装置又は情報伝達方法が得られる。機器に設けられたスイッチ開閉手段１４のトリガーを受けたときのリレー機構はこの送電スイッチ１４のオンとオフを交互に行える様にしておくことで、リーダライタ使用時に近づけたり接触させて電力搬送を可能にし、終わった後遠ざけたり引き離すことにより再びオフのトリガーがかかるので自動的に待機電力をゼロにすることが出来る。オンのトリガーがかかり電力を受け取り更に蓄電されているときにリーダライタ装置に電力が生きているという表示、例えば表示灯をともすことによって利用者に使用できることを知らせることが出来る。これにより省エネのみならず取り扱いが容易で確実な操作が可能な情報伝達装置が得られる。なおこの表示は機器の電源接続表示灯であっても良いし、機器側と情報伝達装置側の両方に表示させても良い。
【００２９】
以上の例では電力・情報送受信手段を使用し電波による電力搬送の構造例を説明したが、送受電装置４，１２は電波だけでなく、電磁誘導、光、音などの電力供給方式に置き換えることができる。例えば送電を行う送受電装置１２にて赤外線を発光させ、受電を行う送受電装置４では光を電気に変える光電素子を使用すれば良い。光電素子は電気を光に変えて送電に使うか光を電気に変えて受電に使うかあるいは両方向にするかは自由に行うことが出来る。なお、電力・情報送受信手段を使用した情報を通信させる電波での送受信も同様である。
【００３０】
タグのような記録媒体１６が家庭に沢山入り込むようになっても、この発明の情報伝達装置１を使用すれば、制御、出力回路等用に簡単に電源供給されどこでも何にでもリーダー／ライター機能である書き込み／読み出しができ、移動や着脱可能である為、様々な場所にある、様々な種類の機器や記録媒体を判断し書き込み／読み出しができる。更に送受電装置１２を冷蔵庫等大型機器に標準的に設けるリモコン１と共通に使用できる構成にしておけば、家庭内の多くの機器にそのまま流用して使用できるとともに、大型機器廃却時のリサイクルに無線タグに書きこまれた有用材料や有害材料などの情報を一般に市販されているリモコンや簡易型のリーダーライタを使用し簡単に有効にリサイクル作業を行うことが出来る。更に、家庭など何処でも何時でも簡便にリーダライタ装置が使用でき、且つこの情報伝達装置に使用する電池に対し容量不足等の表示が出れば、何処の家庭にもある大型機器、例えば常時通電状態にある冷蔵庫で充電して給湯装置他の家庭内機器のどれにでも使用できることになる。
【００３１】
即ち、リーダライタ装置１の電源である電池などとの接続に手動スイッチ６等を設けることによりリーダライタ装置のような情報伝達装置を使用しないときは電源を切っておくことが出来る。更に充電してあるリーダー／ライター１に送受電装置４が設けてあり、このリーダライタ装置１から機器９に送信スイッチ１４をオンさせる必要なトリガー電力を供給することもできる。この供給時にのみ手動スイッチ６をオンして使えば電池７は無駄に電力を消費することが無くなる。機器９に設けた送信スイッチ１４をオンさせるトリガとして、リーダライタ装置本体１側のトリガ機構であるスイッチ開閉手段は、電池７、手動スイッチ６、送受電装置４，２であり、機器９におけるスイッチ開閉手段である送信スイッチ１４をオンさせるリレー機構は送受電装置１０、１１にて電力・情報送受信手段１０から受け取った電力でリレー機構を動作させて電源を繋げば良いことになる。この結果、起動の信号を受ける等の待機電圧をどのような機器９やリーダライタ装置１でもなくす事ができ、一般的に広く使用することが出来る。なお、リーダー／ライター装置１や機器９本体の電源を開閉するスイッチ開閉手段を手動スイッチなどとの併用にしておいても良いことは当然で、この場合待機電力はどちらも不要になり安価な装置にすることが出来ることは当然である。
【００３２】
機器やリーダー／ライター装置などの情報伝達装置に電力・情報送受信手段、トリガ機構、リレー機構をどのような機器とその情報伝達装置に設け、例えばエアコン、冷蔵庫、照明設備、ブレーカを有する電源設備などの機器に共通な仕様とすることにより、この様に様々な機器の送受信部から電波により情報とともに電力供給が可能となり、有線などによる直接的な外部電源と接続する必要がなくなり特別な電源供給を不要にする。また機器に貼り付け情報を書き込み／読み出し可能な無線タグやＩＣカードなどの記録媒体への書き込み／読み出し機能を持ったリーダー／ライターが機器本体の送受信部から電波により電力供給を受け、有線などによる電源供給を不要にする。
【００３３】
以上のこの発明は、家電用などの機器９とリーダライタ装置１と無線タグのような記録媒体１６で構成する説明をしてきたが、情報機器９に使用されるＩＣカードのような記録媒体１６の場合、通常使用される場合は情報機器９とＩＣカード１６間だけで情報交換や電力授受が行われることが多い。この場合の説明を図５の回路構成図にて行う。例えば、本発明がリーダライタ装置本体１を使用しなくとも、即ちＩＣカード１６に送受電装置を含むＩＣ１８と電力・情報送受信手段１７を設け、記録媒体送受信部１７にて情報通信と電力授受を機器１の電力・送受信手段１０との間で行うことは図１乃至図４で説明し上記に記載されるとおり当然である。
【００３４】
図１乃至図４にて説明された無線タグＲＦＩＤが、ＩＤカード確認装置のような情報機器９から取り外された状態で使用されるＩＤカード１６とすると、このＩＤカード１６には無線情報を電力・情報送受信手段１０、１７の間で情報を書き込まれたり読み出しが出来ることになる。入門退出時の履歴管理に使用されるＩＤカードなどの記録媒体１６には、この情報を非接触にて外部との間で送受信可能な記録媒体１６には、記録媒体送受信手段１７および情報を記憶する記録媒体内に設けられた記録媒体記憶手段を含むＩＣ１８が設けられており、電源となる記録媒体１６外部から送信される電力は非接触にて受電し記録媒体ＩＣ１８似て消費される。情報機器９に接続され使用される電源の電力は、この機器９から記録媒体へ送信されるが、図５のように機器１側に設けられたスイッチ開閉手段１４を開閉するトリガーとなるトリガー機構である記録媒体スイッチ開閉手段２２が記録媒体１６に設けられている。
【００３５】
既に説明したように情報機器９の外部電源２０に接続される電源ポート１９と情報機器の機器駆動装置や制御装置１１、電力送受信装置との間には非接触の情報伝達装置であるＩＣカード側からトリガーがかけられて開閉されるスイッチ開閉手段１４が設けられ、このトリガーがかかるまでは情報機器９には待機電力が存在しない。図４とは異なりＩＣカード１６には電池７が存在せず、したがって手動スイッチ６他のようなトリガーではなく、上記で説明したように、図５のリレー機構のスイッチ開閉手段１４の開閉は、ＩＣカードのトリガーは磁石とリレー機構の誘導コイルの組合せで、ＩＣカード１６を機器９に接近させてコイルに電圧を誘起させたものをトリガーにしたり、ＩＣカード１６を機器９に接触させる機構をトリガーとし、即ちＩＣカード１６に設けたコンデンサの様な電位や容量を直接機器に設けたトリガー端子に接触させて電位の変化や容量の変化を機器のリレーに伝えてトリガーとさせたりして機器９側のリレー機構を動作させたり、情報伝達装置１に設けられた突起物トリガー機構として、機器９の凹部に差し込んで機械的にリレー機構を解除させるなどで、機器９の電源をオンオフさせる。このためＩＣカードのスイッチ開閉手段２２は図５のようにアンテナなどの電力・情報送受信手段に使用され一体のＩＣで電位を有する部品を纏めてある端子や常時充電されるコンデンサと接続された端子等でも良いし、ＩＣカード内の部品とは無関係に独立して設けた永久磁石のようなものでも良いし、情報伝達装置の外形であって単なる角部や引っ掛け部品のように機器側の係合部に係合される機構部品でも良い。機器側の送電スイッチ１４を機器と接触又は非接触にてトリガーとして開閉可能な前記記録媒体１６に設けられた記録媒体スイッチ開閉手段２２が、記憶された情報を伝達する機能を有する送受信手段１７と情報を記憶するＩＣとともに備えたＩＣカードのような記録媒体１６を情報伝達装置とすることにより簡単な機構で待機電力をゼロにすることが出来、しかも機器との間で確実に情報伝達が行える。
【００３６】
このようなＩＣカード１６であるＩＤカードをこのＩＤカードを確認する機器９から取り外された状態で使用される場合、認識が必要なＩＤカードが近づけられた時、あるいは接触された時にのみ情報と電力の授受が行われ、無駄な電力搬送を行わないように待機電力の必要の無い電力搬送が行われれる。また、図１の構成の様に、ＩＤカードに電池や手動スイッチを設けなくとも簡単に省電力で情報の送受信を、機器側からＩＤカード側へ電力を送信して情報交換が行える。
【００３７】
但し図４のようにＩＤカード１６に電池やコンデンサなどの蓄電手段、あるいは手動スイッチ等を設けた場合は、機器であるＩＤカード確認装置９から供給される電力とカード１６に貯えられた電力により大きな電力を短時間使用可能になり、例えばＩＤカード１６に大きな電力の必要な画像を記憶させ、カード１６から機器９へ情報通信された画像情報とＩＤカード確認装置９に設けた画像撮影装置と照合することが出来る。これは画像読み出しを必要な電力で行える電源を送信された電力とともにＩＣカード内に準備でき、且つ、待機電力のような無駄なエネルギーを使用しない装置、方法が得られるため可能になるもので、取り扱い簡単で持ち運びが容易な小形な構造のＩＣカードにもかかわらず金庫などセキュリティを要求される場合に使用できる安全な情報伝達装置１が得られる。この場合照合する画像情報は本人を証明するものであれば良く、本人の顔やその他の人物像でも本人が持ち運んでいる携帯電話の表示画面など他のものでも、更にはこれらの組合せでも良い。すなわち画像撮影装置に示すことが出来本人以外知らない情報であれば確実なセキュリティを簡単に守ることが出来るものが得られる。
【００３８】
本発明の情報伝達装置としては、空調機、冷蔵庫などの家電機器のリモコン、集中コントローラーや携帯電話等に具備されるリモコン機能やリーダー／ライター機能に応用する事ができる。これらのリモコンや携帯電話には家電機器等の電力送電のためにトリガー機構を設け、家電機器等と電力を送受電するための装置を組み込んでおくだけで、家電機器等の待機電力をカットできる。また、どこからでも、いつでも情報通信のための電力を入手できるので、いちいち充電したり、電池を取り替えるなどが不要に成る。様々な場所で様々な種類の機器から電源供給を受け、情報の書き込み／読み出しを行えるため、携帯電話交換時や機器修理時等に必要な情報交換やネットワークなどの機器の設定をそれぞれの機器に対して行る。また、それぞれの機器の記録媒体自体を集中コントローラーなどのリーダー／ライター機能を具備した装置に持ってくることも出来るので、沢山の情報を一括に読み書きでき、一括管理することも可能である。
【００３９】
この発明に係る情報伝達のシステムは、情報を書き込み及び読み出しの少なくとも一方の処理が出来る家電機器の履歴管理に使用されるタグや情報機器に使用されるＩＣカードなどの記録媒体本体と、この記録媒体の外部との間で情報を非接触にて送信又は受信可能な記録媒体本体に設けられたアンテナなどの記録媒体本体電力・情報送受信手段と、記録媒体本体電力・情報送受信手段と接続され情報を記憶する記録媒体本体に設けられた本体記憶手段を利用する本体制御部と、本体制御部等に接続され電源となる記録媒体本体外部から送信される電力を記録媒体本体電力・情報送受信手段により非接触にて送受電可能な本体送受電手段と、家電機器、情報機器等の機器に設けられこの機器の電源から記録媒体本体電力・情報送受信手段へ機器電力・情報送受信手段を介して電力を送受信可能なを電力送受信部と前記電源と機器駆動装置および機器電力送受信部等の間に設けられた送電スイッチを接触または非接触にて開閉可能な前記機器に設けられた本体スイッチ開閉手段を無線等により記録媒体側から制御できるトリガー機構などトリガー手段と、を備え、記録媒体へ情報を書き込んだり読み出したりする情報伝達機能及び機器側に設けられた送電スイッチを開閉する機能を有するものである。
【００４０】
この発明にかかわる情報伝達のシステムは、情報を書き込み及び読み出しの少なくとも一方の処理が出来る家電機器の履歴管理に使用されるタグや情報機器に使用されるＩＣカードなどの記録媒体本体外部に設けられ記録媒体との間で前記情報を非接触にて送信又は受信可能な本体に設けられたアンテナなどの電力・情報送受信手段と、記録媒体本体電力・情報送受信手段と接続され情報を受信して読み込み及び送信して書き込みする制御部と記録媒体本体に設けられた本体記憶手段と、記録媒体制御部は記録媒体本体電力・情報送受信手段および本体電力送受信装置を使用し電源となる記録媒体本体外部から送信される電力を非接触にて受電可能で、且つ本体外部へ電力を非接触で送電可能で、家電機器、情報機器等の機器に設けられ、この機器の電源装置と機器の各装置の間に設けられた機器電源スイッチを非接触にて機器に設けられた電力と情報を本体電力・情報送受信手段から非接触により送信し機器制御装置を起動させ機器電源スイッチを開閉可能な記録媒体本体制御部、を備えるものである。
【００４１】
この発明の情報伝達システムの記録媒体はその本体制御部等に接続され電源となる充電もしくは取替え可能な電池と、を備えたものである。更に機器スイッチ開閉手段は、記録媒体本体から機器側に磁力の変化もしくは静電容量の変化などを非接触や接触により伝達して機器側で外部電源と接続する送電スイッチを開閉するものである。
【００４２】
本発明の情報伝達システムの機器内にてスイッチを開閉する手段は、記録媒体に設けられた機械的な機構が、機器側に設けられた係合部に係合して開閉し、機器側電源を機器内部へ送電するとともに、記録媒体へ電波により送電するものである。
【００４３】
本発明の情報伝達システムの記録媒体に設けたスイッチは、記録媒体に設けられた電池からの電力により本体制御部と本体電力・情報送受信手段を利用し、トリガー電力を記録媒体から機器へ送電し、機器側の電源との接続スイッチを閉め、機器電源から記録媒体に電力送電を行わせるものである。
【００４４】
本発明の情報伝達システムは、情報を書き込み及び読み出しが出来る家電機器の履歴管理に使用されるタグや情報機器に使用されるＩＣカードなどの記録媒体に、この情報を非接触にて外部との間で送受信可能な記録媒体に設けられた記録媒体電力・情報送受信手段や、記録媒体電力・情報送受信手段と接続され情報を記憶し記録媒体内に設けられた記憶手段等を設け、記録媒体外部から送信される電力を非接触にて記録媒体送受信手段を介して受電可能な記録媒体の電力として使用し、家電機器、情報機器等の機器に設けられた電源とこの機器の電源から記録媒体電力・情報送受信手段へ電力を送信可能な機器電力・情報送受信手段を制御する機器制御部等との間に設けられた送電スイッチを接触又は非接触にて開閉可能な記録媒体スイッチ開閉手段を記録媒体に設けるなど、記憶された情報を伝達する機能及び機器側に設けられた前記送電スイッチを開閉する機能を記録媒体に設けたものである。
【００４５】
本発明の情報伝達方法は、情報伝達装置を家電機器、情報機器等の機器に接触又は近づけて、機器に接続した外部電源とこの機器の電源から機器駆動装置及び制御装置等に電力を供給する機器電力送受信部との間に設けたスイッチを開閉するスイッチ開閉手段を、情報伝達装置に設けられた電力・情報送受信手段から非接触により電力・情報を送り、機器の制御装置を起動させスイッチ開閉手段を動作させて送電スイッチを開閉させるステップと、機器の電源から送電スイッチ及び前記電力送信部を介して電波で送信される電力を情報伝達装置が非接触で受電するステップと、情報伝達装置は受電した電力を利用して家電機器の履歴管理に使用されるタグや情報機器に使用されるＩＣカードなどの記録媒体との間で送受信を行い情報を書き込んだり読み出したりするステップと、を備えたものである。
【００４６】
本発明の情報伝達方法は、電力を受電したこと及び記録媒体との送受信が行われたことの少なくとも一方を表示させるステップと、を備えたものである。
【図面の簡単な説明】
【００４７】
【図１】本発明の実施の形態１の情報伝達システムを示す概略構成図である。
【図２】本発明の実施の形態１の情報通信の動作を説明するフローチャートである。
【図３】本発明の実施の形態１の情報伝達システムを示す回路構成図である。
【図４】本発明の実施の形態１の情報伝達システムを示す回路構成図である。
【図５】本発明の実施の形態１の情報伝達システムを示す回路構成図である。
【符号の説明】
【００４８】
１  リーダー／ライターなど情報伝達装置、  ２  情報伝達装置の電力・情報送受信手段、  ３  情報伝達装置の制御装置、  ４  情報伝達装置の電力送受信装置、  ５  情報伝達装置の記憶装置、  ６  スイッチ、  ７  情報伝達装置の電池などを含む充電手段、  ８  情報伝達装置の電源ポート、  ９  機器、１０  機器の電力・情報送受信手段、  １１  機器の制御装置、  １２  機器の電力送受信装置、  １３  機器の記憶装置、  １４  機器のスイッチ開閉手段、  １５  機器駆動装置、  １６  記録媒体（情報伝達装置）、  １７  記録媒体の電力・送受信手段、  １８  記録媒体のＩＣ、  １９  機器の電源ポート、  ２０  電源装置、  ２２  記録媒体のスイッチ開閉手段。
【図１】
0004793423.tif 000002
【図２】
0004793423.tif 000003
【図３】
0004793423.tif 000004
【図４】
0004793423.tif 000005
【図５】
0004793423.tif 000006